(57)【要約】【課題】  小型の冷却装置で、大きな電流容量を必要とせず、しかも、良く冷却された飲料がいつでもボトル容器から飲めるようにする。【解決手段】  キャップ部１５をボトル容器１８の飲み口にネジ込むことにより本体ケース１をボトル容器１８に固定する。ボトル容器１８内に延びる吸引管４に接続される冷却管２を電子冷却素子５，ヒートシンク６で冷却し、冷却管２の他端に接続された吸い口管３で吸い込むようにする。冷却管２は、電子冷却素子５，ヒートシンク６に対して蛇行状又は螺旋状に配置して、冷却管の長さを長くし、飲料の冷却効率を高くする。そのようにして、ボトル容器１８から飲料を飲む際に、口に入る寸前で冷却管２の中を流れる少量の飲料のみを電子冷却素子５，ヒートシンク６で冷却する。【選択図】        図１
2005037025.tif 000002
【特許請求の範囲】
【請求項１】
下部にボトル容器の飲み口に装着可能なキャップ部を有する本体ケースと、該本体ケースから前記キャップ部を通って前記ボトル容器内に延びる吸引管と、前記本体ケース内に配置され、前記吸引管に接続される冷却管と、該冷却管を冷却する電子冷却素子と、前記冷却管の他端に接続された吸い口管とを具えたことを特徴とする容器入り飲料の冷却装置。
【請求項２】
前記冷却管を前記電子冷却素子に対して蛇行状又は螺旋状に配置したことを特徴とする請求項１記載の容器入り飲料の冷却装置。
【請求項３】
前記本体ケースにバイブレータを設けたことを特徴とする請求項１又は２記載の容器入り飲料の冷却装置。
【請求項４】
前記本体ケースの前記電子冷却素子が設けられている個所の反対側に、錘を埋め込んだフックを設けたことを特徴とする請求項１，２又は３記載の容器入り飲料の冷却装置。
【発明の詳細な説明】
【技術分野】
【０００１】
本発明は、ペットボトル，ボトル缶，ガラスビンのような容器に入れられている飲料を冷却して提供する容器入り飲料の冷却装置に関するものである。
【背景技術】
【０００２】
近年、ペットボトル等の普及に伴って、お茶，スポーツドリンク等の飲料入りのボトル容器を持ち歩く人が多くなっている。ボトル容器は、飲み口にネジ式のキャップが付いていて、飲料を必要な量だけ飲んだら再びキャップを閉めておくことにより、残りを保存でき、それを後で飲むことができる。そのような飲料が冷却用の飲料であれば、飲料を冷却された状態に保持することが要求されるが、従来は、冷却された容器入り飲料を断熱性の袋状ケースに入れたり、冷却された飲料を金属製あるいはガラス製の保温水筒に入れ替えたりすることにより、飲料の冷却状態を保持するようにしていた。
【０００３】
一方、ビン等に入れられた飲料を冷却する装置として、下記特許文献１に示されるように、ペルチェ素子等の電子冷却素子を利用した装置が提案されている。このような冷却装置を携帯用ボトル容器にも用いれば、常に冷却された状態で飲料を飲むことができる。
【特許文献１】特開２００１−１７４１２２号公報(F25D 11/00)
【発明の開示】
【発明が解決しようとする課題】
【０００４】
しかしながら、上記従来の方法の内、断熱性の袋状ケースに入れる方法では、保冷性が十分でなく、長時間の保冷には無理があった。また、保温水筒に入れ替える方法では、サイズや重量が大きくなって、バッグ等に入れて持ち歩くには不便であるという問題点があった。
【０００５】
また、電子冷却素子を利用した冷却装置を用いる場合は、ボトル容器全体を電子冷却素子で冷却するのでは、冷却装置全体のサイズが大きくなる上、電流容量が大きい電源が必要になって現実的でなくなるという問題点がある。
【０００６】
本発明は、そのような問題点に鑑み、小サイズの冷却装置を用い、大きな電流容量を必要とせず、しかも、良く冷却された飲料がいつでも飲めるようにすることを目的とするものである。
【課題を解決するための手段】
【０００７】
前記課題を解決するため、請求項１に記載の容器入り飲料の冷却装置は、下部にボトル容器の飲み口に装着可能なキャップ部を有する本体ケースと、該本体ケースから前記キャップ部を通って前記ボトル容器内に延びる吸引管と、前記本体ケース内に配置され、前記吸引管に接続される冷却管と、該冷却管を冷却する電子冷却素子と、前記冷却管の他端に接続された吸い口管とを具えたことを特徴とする。
【０００８】
また、請求項２に記載の容器入り飲料の冷却装置は、前記冷却管を前記電子冷却素子に対して蛇行状又は螺旋状に配置したことを特徴とする。
【０００９】
また、請求項３に記載の容器入り飲料の冷却装置は、前記本体ケースにバイブレータを設けたことを特徴とする。
【００１０】
また、請求項４に記載の容器入り飲料の冷却装置は、前記本体ケースの前記電子冷却素子が設けられている個所の反対側に、錘を埋め込んだフックを設けたことを特徴とする。
【発明の効果】
【００１１】
本発明の容器入り飲料の冷却装置は、次のような効果を奏する。
【００１２】
すなわち、請求項１に記載の容器入り飲料の冷却装置は、ボトル容器から飲料を飲む際に、口に入る寸前で冷却管の中を流れる少量の飲料のみを電子冷却素子で冷却するようにしたので、冷却装置は小サイズですみ、大きな電流容量を必要とせず、しかも、良く冷却された飲料がいつでも飲めるようになる。
【００１３】
また、請求項２に記載の容器入り飲料の冷却装置は、前記冷却管を前記電子冷却素子に対して蛇行状又は螺旋状に配置したので、電子冷却素子に接する冷却管の長さが長くなって、熱交換率が向上し、飲料の冷却効率が高くなる。
【００１４】
また、請求項３に記載の容器入り飲料の冷却装置は、前記本体ケースにバイブレータを設けたので、振動により冷却管の内壁と飲料との境界層が攪拌され、飲料境界層更新により熱交換率がより一層向上する。さらに、電子冷却素子の放熱側の面も振動して、空気との熱交換率が良くなって、放熱板を設けるだけで放熱ファンが不要になる。
【００１５】
また、請求項４に記載の容器入り飲料の冷却装置は、前記本体ケースの前記電子冷却素子が設けられている個所の反対側に、錘を埋め込んだフックを設けたので、フックを使ってベルトやズボンのポケット等にボトル容器を支持させることができる上に、ボトル容器に本冷却装置を取り付けた状態でテーブル等の上に置く際に、冷却部と錘とで重量のバランスがとれて、ボトル容器が安定する。
【発明を実施するための最良の形態】
【００１６】
以下、本発明の実施例を図面に基づいて詳細に説明する。
【実施例１】
【００１７】
図１は、本発明の一実施例を示す断面図であり、図２は、図１のもののＡ−Ａ断面図であり、図３は、冷却部の平面図である。図において、１は本体ケース、２は冷却管、３は吸い口管、４は吸引管、５は電子冷却素子、６はヒートシンク、７は放熱板、８は乾電池、９はバイブレータ、１０はスイッチ、１１は通風孔、１２は排水孔、１３は蓋、１４は吸い口管収納部、１５はキャップ部、１６はフック、１７は錘、１８はボトル容器である。
【００１８】
本体ケース１は、プラスチック等で形成され、飲料のボトル容器１８の飲み口にねじ込み可能なキャップ部１５を下部に有していて、取り付けた状態でボトル容器１８のキャップとしても機能する。その本体ケース１の内部には、電子冷却素子５が設けられており、その冷却側の面には、熱伝導性の良い金属よりなるヒートシンク６を介して、金属製の冷却管２を蛇行させて設けている。電子冷却素子５としては、周知のペルチェ素子，フリヂスタ素子等を用いることができ、その内、フリヂスタ素子は、構造が柔軟であり、急速冷却を繰り返しても寿命の劣化がすくない等、優れた特性があって有利である。そして、冷却管２は、電気部品に影響なく洗浄，消毒等を可能にするため、ヒートシンク６に対して着脱可能になるように冷却管２を取り付けている。
【００１９】
一方、電子冷却素子５の放熱側には、金属製の放熱板７を設けている。そして、本体ケース１底部の放熱板７と対向する部分には、通風孔１１を設けて外部との空気の流通を良くして、放熱板７からの放熱が行われ易くなるようにしている。さらに、電子冷却素子５によりヒートシンク６，冷却管２が冷却されると、それらの周辺には結露が発生する。そこで、結露により生じた水滴が本体ケース１の中に貯まらないように、本体ケース１の底部下端に排水孔１２を設けて、それから排水できるようにしている。
【００２０】
そして、冷却管２の一方の端部には、キャップ部１５を通ってボトル容器１８の中に延びる吸引管４が接続され、冷却管２の他方の端部には、吸い口管３が接続されている。吸い口管３は、合成ゴム等の変形可能な材料で形成されており、飲料を飲まないときは、屈曲させて吸い口管収納部１４の中に収納させておく。
【００２１】
さらに、本体ケース１の先端部分には、乾電池８とバイブレータ９が設けられていて、本体ケース１の根元部には、スイッチ１０が設けられている。乾電池８は、電子冷却素子５とバイブレータ９の電源となり、スイッチ１０によりオンオフされる。バイブレータ９としては、携帯電話でマナーモード用として用いられているような小型軽量なバイブレータや偏心モータを適用することができる。
【００２２】
そして、ボトル容器１８の飲料を飲む時は、吸い口管３を吸い口管収納部１４から取り出して、スイッチ１０をオンにする。その結果、電子冷却素子５が冷却を開始するとともに、バイブレータ９が振動を開始する。その状態で、吸い口管３に口を当てて飲料を吸い込むと、冷却管２で冷却された飲料が口の中に入ってくる。その後吸引管４を通ってボトル容器１８から吸い上げられる飲料も冷却管２を通る間に冷却され、吸い口管３に流れてくる。その際、冷却管２を電子冷却素子５，ヒートシンク６に対して蛇行状に配置するようにしたので、電子冷却素子５，ヒートシンク６に接する冷却管２の長さが長くなって、熱交換率が向上し、飲料の冷却効率が高くなる。
【００２３】
さらに、バイブレータ９により冷却管２が振動するようにしたので、振動により冷却管２の内壁と飲料との境界層が攪拌され、飲料境界層更新により熱交換率がより一層向上する。さらに、電子冷却素子５の放熱側の面に設けられた放熱板７も振動するので、放熱板７と空気との熱交換率が良くなる。通常、電子冷却素子の放熱側には、放熱板と放熱ファンを設けるのが一般的であるが、本発明では、バイブレータ９により放熱板７を振動させることにより、放熱板７を設けるだけで放熱ファンが不要になる。その結果、冷却装置の小型化が可能になる。
【００２４】
また、本発明の冷却装置では、本体ケース１の電子冷却素子５が設けられている個所の反対側に、フック１６を設け、その中に錘１７を埋め込んでいる。その結果、フック１６をベルトやズボンのポケット等に差し込むことによりボトル容器１８を支持させることができる上に、ボトル容器１８に本冷却装置を取り付けた状態でテーブル等の上に置く際に、冷却部と錘１７とで重量のバランスがとれて、ボトル容器１８が安定する。この錘１７としては、金属塊等を用いることができるが、乾電池を錘１７としてフック１６の中に収納するようにしてもよい。その場合は、本体ケース１の先端部分に乾電池８を設ける必要がなくなって、本体ケース１の小型化が可能になる。
【００２５】
なお、上記実施例では、冷却管２を電子冷却素子５，ヒートシンク６に対して蛇行状に配置するようにしたが、冷却管２を電子冷却素子５，ヒートシンク６に対して螺旋状に配置するようにしても、電子冷却素子５，ヒートシンク６に接する冷却管２の長さが長くなって、飲料の冷却効率が高くなる。
【図面の簡単な説明】
【００２６】
【図１】本発明の一実施例を示す断面図である。
【図２】図１のもののＡ−Ａ断面図である。
【図３】冷却部の平面図である。
【符号の説明】
【００２７】
１…本体ケース
２…冷却管
３…吸い口管
４…吸引管
５…電子冷却素子
６…ヒートシンク
７…放熱板
８…乾電池
９…バイブレータ
１０…スイッチ
１１…通風孔
１２…排水孔
１３…蓋
１４…吸い口管収納部
１５…キャップ部
１６…フック
１７…錘
１８…ボトル容器
【図１】
2005037025.tif 000003
【図２】
2005037025.tif 000004
【図３】
2005037025.tif 000005